【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
電子写真感光体ドラムを有するドラムカートリッジを電子写真画像形成装置の装置本体に取り外し可能に装着して、かつ、前記電子写真感光体ドラムに形成された静電潜像を現像するための現像ローラを有する複数個の現像カートリッジを前記装置本体に取り外し可能に装着して、記録媒体にカラー画像を形成するカラー電子写真画像形成装置において、
前記装置本体に設けられた、前記ドラムカートリッジをガイドする本体側ドラムカートリッジガイドと、
前記装置本体に設けられた、前記ドラムカートリッジを前記装置本体に位置決めする本体側ドラムカートリッジ位置決め部と、
を有し、
前記ドラムカートリッジに、前記現像カートリッジの前記ドラムカートリッジに対する進入方向の位置を位置決めする位置決め部を設け、
現像カートリッジを挿入する際において、挿入する現像カートリッジの直下の現像カートリッジに、挿入する現像カートリッジの挿入をガイドする挿入ガイド手段を設けたことを特徴とするカラー電子写真画像形成装置。
【請求項２】
前記装置本体に装着されたドラムカートリッジから前記複数個の現像カートリッジが取り出し可能に、かつ、前記現像カートリッジを装着した状態で、前記装置本体から前記ドラムカートリッジが前記現像カートリッジと一体的に取り出し可能に構成されていることを特徴とする請求項１に記載のカラー電子写真画像形成装置。
【請求項３】
前記装置本体に開閉可能な扉を有し、前記扉で前記現像カートリッジの位置決めを行うことを特徴とする請求項１又は請求項２に記載のカラー電子写真画像形成装置。
【請求項４】
前記現像カートリッジは、前記現像カートリッジの姿勢を保持することが可能な保持足を備えており、
前記保持足は、前記保持足を備える前記現像カートリッジの直下の現像カートリッジが前記ドラムカートリッジから取り出された際に、前記現像カートリッジの姿勢を保持する第一の位置と、前記現像カートリッジの姿勢を保持しない第二の位置とをとることが可能なことを特徴とする請求項１乃至３のいずれか一項に記載のカラー電子写真画像形成装置。
【請求項５】
前記現像カートリッジは、前記保持足を備える前記現像カートリッジに隣接する現像カートリッジの位置決めを行う位置決め部を備え、
前記保持足が第二の位置にある時に、前記位置決め部は前記隣接する現像カートリッジを位置決め可能な位置にあり、
前記保持足が第一の位置にある時に、前記位置決め部は位置決め可能な位置から退避することを特徴とする請求項４に記載のカラー電子写真画像形成装置。
【請求項６】
電子写真感光体ドラムを有するドラムカートリッジを電子写真画像形成装置の装置本体に取り外し可能に装着して、かつ、前記電子写真感光体ドラムに形成された静電潜像を現像するための現像ローラを有する複数個の現像カートリッジを前記装置本体に取り外し可能に装着して、記録媒体にカラー画像を形成するカラー電子写真画像形成装置において、
前記装置本体に設けられた、前記ドラムカートリッジをガイドする本体側ドラムカートリッジガイドと、
前記装置本体に設けられた、前記ドラムカートリッジを前記装置本体に位置決めする本体側ドラムカートリッジ位置決め部と、
を有し、
前記ドラムカートリッジに、前記現像カートリッジの前記ドラムカートリッジに対する進入方向の位置を位置決めする位置決め部を設け、
現像カートリッジを挿入する際において、挿入する現像カートリッジの直下のドラムカートリッジに、挿入する現像カートリッジの挿入をガイドする挿入ガイド手段を設けたことを特徴とするカラー電子写真画像形成装置。
【請求項７】
前記装置本体に装着されたドラムカートリッジから前記複数個の現像カートリッジが取り出し可能に、かつ、前記現像カートリッジを装着した状態で、前記装置本体から前記ドラムカートリッジが前記現像カートリッジと一体的に取り出し可能に構成されていることを特徴とする請求項６に記載のカラー電子写真画像形成装置。
【請求項８】
前記装置本体に開閉可能な扉を有し、前記扉で前記現像カートリッジの位置決めを行うことを特徴とする請求項６又は請求項７に記載のカラー電子写真画像形成装置。
【請求項９】
前記現像カートリッジは、前記現像カートリッジの姿勢を保持することが可能な保持足を備えており、
前記保持足は、前記保持足を備える前記現像カートリッジの直下の現像カートリッジが前記ドラムカートリッジから取り出された際に、前記現像カートリッジの姿勢を保持する第一の位置と、前記現像カートリッジの姿勢を保持しない第二の位置とをとることが可能なことを特徴とする請求項６乃至８のいずれか一項に記載のカラー電子写真画像形成装置。
【請求項１０】
前記現像カートリッジは、前記保持足を備える前記現像カートリッジに隣接する現像カートリッジの位置決めを行う位置決め部を備え、
前記保持足が第二の位置にある時に、前記位置決め部は前記隣接する現像カートリッジを位置決め可能な位置にあり、
前記保持足が第一の位置にある時に、前記位置決め部は位置決め可能な位置から退避することを特徴とする請求項９に記載のカラー電子写真画像形成装置。
【請求項１１】
複数のカートリッジを用いて記録媒体にカラー画像を形成するカラー電子写真画像形成装置の装置本体に取り外し可能に装着されるカートリッジにおいて、
前記カートリッジは、前記カートリッジの姿勢を保持することが可能な保持足を備えており、
前記保持足は、前記保持足を備える前記カートリッジの直下のカートリッジが前記装置本体から取り出された際に、前記カートリッジの姿勢を保持する第一の位置と、前記カートリッジの姿勢を保持しない第二の位置とをとることが可能なことを特徴とするカートリッジ。
【請求項１２】
前記カートリッジは、前記保持足を備える前記カートリッジに隣接する現像カートリッジの位置決めを行う位置決め部を備え、
前記保持足が第二の位置にある時に、前記位置決め部は前記隣接する現像カートリッジを位置決め可能な位置にあり、
前記保持足が第一の位置にある時に、前記位置決め部は位置決め可能な位置から退避することを特徴とする請求項１１に記載のカートリッジ。
【請求項１３】
前記カートリッジは、電子写真感光体ドラムに形成された静電潜像を現像するための現像ローラを有することを特徴とする請求項１１又は１２に記載のカートリッジ。
【請求項１４】
画像形成装置に装着可能な現像カートリッジにおいて、
前記画像形成装置は、
電子写真感光体を有し、前記画像形成装置の装置本体に着脱可能なドラムカートリッジを備えるものであり、
前記現像カートリッジは、前記ドラムカートリッジに装着される複数の現像カートリッジの一つであって、そのすぐ上の現像カートリッジが前記ドラムカートリッジに挿入されるのを案内する挿入ガイド手段を有することを特徴とする現像カートリッジ。
【請求項１５】
前記現像カートリッジは係合部を有し、該係合部が直下に位置する現像カートリッジと係合することで、位置決めされることを特徴とする請求項１４に記載の現像カートリッジ。
【請求項１６】
前記係合部は、前記現像カートリッジが前記ドラムカートリッジに挿入される挿入方向において、前記現像カートリッジの上流側に設けられることを特徴とする請求項１５に記載の現像カートリッジ。
【手続補正２】
【補正対象書類名】明細書
【補正対象項目名】発明の名称
【補正方法】変更
【補正の内容】
【発明の名称】カラー電子写真画像形成装置、カートリッジ、現像カートリッジ
【手続補正３】
【補正対象書類名】明細書
【補正対象項目名】０００１
【補正方法】変更
【補正の内容】
【０００１】
本発明は、複数のカートリッジを装置本体に取り外し可能に装着して、記録媒体に画像を形成するカラー電子写真画像形成装置に関する。また、カラー電子写真画像形成装置の装置本体に取り外し可能に装着されるカートリッジ、現像カートリッジに関する。
【手続補正４】
【補正対象書類名】明細書
【補正対象項目名】００１０
【補正方法】変更
【補正の内容】
【００１０】
上記の目的を達成するための本発明に係るカラー電子写真画像形成装置の代表的な構成は、電子写真感光体ドラムを有するドラムカートリッジを電子写真画像形成装置の装置本体に取り外し可能に装着して、かつ、前記電子写真感光体ドラムに形成された静電潜像を現像するための現像ローラを有する複数個の現像カートリッジを前記装置本体に取り外し可能に装着して、記録媒体にカラー画像を形成するカラー電子写真画像形成装置において、前記装置本体に設けられた、前記ドラムカートリッジをガイドする本体側ドラムカートリッジガイドと、前記装置本体に設けられた、前記ドラムカートリッジを前記装置本体に位置決めする本体側ドラムカートリッジ位置決め部と、を有し、前記ドラムカートリッジに、前記現像カートリッジの前記ドラムカートリッジに対する進入方向の位置を位置決めする位置決め部を設け、現像カートリッジを挿入する際において、挿入する現像カートリッジの直下の現像カートリッジに、挿入する現像カートリッジの挿入をガイドする挿入ガイド手段を設けたことを特徴とする。
【手続補正５】
【補正対象書類名】明細書
【補正対象項目名】００１１
【補正方法】変更
【補正の内容】
【００１１】
現像カートリッジの挿入時のガイド手段を下部にあるドラムカートリッジ及び現像カートリッジに構成することで、ドラムカートリッジの着脱時の操作性を向上させつつ、装置本体にガイド手段を設けないため装置本体の幅を縮めることが出来る。
また、隣接するカートリッジを取り出した際に、姿勢を保持することができるカートリッジを提供することである。
【手続補正６】
【補正対象書類名】明細書
【補正対象項目名】００２７
【補正方法】変更
【補正の内容】
【００２７】
このようにして、ベルト５ａ上にはｙ色＋ｍ色＋ｃ色＋ｋ色の４色フルカラーの未定着現像剤像が合成形成される。なお、ドラム１に対して順次に形成する色現像剤像の色順は本実施例のようなｙ色→ｍ色→ｃ色→ｋ色の色順に限られるものではなく、適宜の色順で行うことができる。ベルト５ａ上に形成された４色フルカラーの未定着現像剤像の画像先端部がベルト５ａの移動によりローラ１０の位置に到達する前に、ローラ１１がベルト５ａに接触した作用位置に移動される。また、クリーニング器５ｅも所定の制御タイミングでベルト５ａに対する作用位置に移動される。
【手続補正７】
【補正対象書類名】明細書
【補正対象項目名】００３６
【補正方法】変更
【補正の内容】
【００３６】
カートリッジ５０の本体１００Ａに対する装着は次のようになさる。カートリッジ５０の左右側を把持し、ドラム１側を先にして開口部１０６から本体１００Ａ内の装着部１０５に挿入し、枠体５１の底板５４の下面を中底フレーム１０３の上面に乗せる。そして、そのカートリッジ５０を中底フレーム１０３をガイドとして該フレーム１０３の上面に沿わせて本体１００Ａ内の後方にスライド移動させる。カートリッジ５０を十分に押し込むと、カートリッジ５０の左右の被位置決め部としての軸受５３が、それぞれ、本体１００Ａ側の左右のガイド部材６０の凹部６１にバネ６２の弾性に抗してバネ６２を押し上げながら進入する。そして、軸受５３が凹部６１の直角２辺（受け止め部）に当接してカートリッジ５０のそれ以上の押し込み方向への移動が阻止される。また、軸受５３の凹部６１に対する上記の当接状態がバネ６２の弾性により保持される。これにより、カートリッジ５０は、装着部１５０に対して、前後方向、左右方向、上下方向が規制されて位置決めされて装着される。逆に、装着されているカートリッジ５０の取り出しは、底板５４の前面側の引き手５５をほぼ水平の引き姿勢にして握ってカートリッジ５０をバネ６２の付勢力に抗して手前側（カートリッジ取り出し方向Ｂ）に引き移動する。そうすると、左右の軸受５３がそれぞれバネ６２の弾性に抗してバネ６２を押し上げながら凹部６１から抜け出る。即ち、軸受５３の凹部６１に対する位置決めが解除される。引き続き引き手５５を引くことにより、カートリッジ５０を中底フレーム１０３をガイドとして該フレーム１０３の上面に沿わせて本体１００Ａ内を前方にスライド移動させる。これにより、カートリッジ５０を開口部１０６を通して本体１００Ａの外に取り出すことが出来る。
【手続補正８】
【補正対象書類名】明細書
【補正対象項目名】００３７
【補正方法】変更
【補正の内容】
【００３７】
（現像カートリッジ）
現像カートリッジ４の構成と本体１００Ａに対する装着構成を説明する。本実施例における各現像カートリッジ４（４ｙ・４ｍ・４ｃ・４ｋ）は、ドラム１に対して現像剤を供給する現像ローラ４１（４１ｙ・４１ｍ・４１ｃ・４１ｋ）を有する。また、現像ローラ４１によって、静電潜像の現像に用いられる現像剤が収納されている現像剤枠体４２を有する。現像剤枠体４２は本実施例においては扁平な直方体形状の筐体である。枠体４２の内部には、図には省略したけれども、ローラ４１に対して現像剤を塗布する現像剤供給塗布部材、塗布された現像剤の層厚を規制すると共に現像剤に電荷を付与する現像ブレード、現像剤攪拌搬送部材なども配設されている。ローラ４１は枠体４２の後面側に軸線方向を左右方向にして左右の軸受部４３を介して回転可能に保持されて配設されている。ローラ４１はほぼ半周面が枠体４２の外側に露呈しており、残りのほぼ半周面が枠体４２の内側に位置している。ローラ４１の左右側にはそれぞれローラ４１と同軸上にギャップ規制コロ（スペーサコロ）４４が配設されている。コロ４４の径はローラ４１の径よりも所定に大きい。枠体４２の前面側の左右部には把持部４５が配設されている。枠体４２の前面の左右方向中央部の上下部にはそれぞれ、位置決め穴２７と、位置決め突起２８（係合部）が設けられている。位置決め突起２８は、枠体４２の前面から下方に突出させた座板２９の裏側にカートリッジ装着方向Ａに突出させて設けられている。また、枠体４２の上面の左右側には、それぞれ、直上のカートリッジ４を着脱する際にガイドするためのガイド溝部２６が設けられている。ガイド溝部（ガイド部）２６はカートリッジ着脱方向Ａ・Ｂに延在している。また、枠体４２の下面の左右側には、それぞれ、直下のカートリッジ４の上記ガイド溝部２６に係合するガイド凸部（被ガイド部）２５が設けられている。ガイド凸部２５はカートリッジ着脱方向Ａ・Ｂに延在している。ガイド溝部２６及びガイド凸部２５は、各カートリッジ４がドラムカートリッジ５０に装着される際、及び、ドラムカートリッジ５０から取り外される際に、カートリッジ４をガイドするものである。
【手続補正９】
【補正対象書類名】明細書
【補正対象項目名】００３８
【補正方法】変更
【補正の内容】
【００３８】
（ドラムカートリッジ５０に対する現像カートリッジ４の装着）
ドラムカートリッジ５０に対する各現像カートリッジ４の装着は第４、第３、第２、第１の順序でなされる。最下位のブラックカートリッジ４ｋの装着は、図５の（ａ）のように、カートリッジ４ｋを枠体５１の底板５４の上に、現像ローラ４１ｋ側を先にして、また、底板５４の上面の左右のガイド溝部２６に対して下面の左右のガイド凸部２５を嵌合させて乗せる。このとき、引き手５５はカートリッジ４ｋと干渉しないように水平に倒した引き姿勢に転換しておく。そして、溝部２６と凸部２５の係合状態でカートリッジ４ｋを装着方向Ａに押して底板５４上をスライド移動させて枠体５１の内方に押し込む。カートリッジ４ｋが十分に押し込まれることで、カートリッジ４ｋの左右の軸受部４３が、それぞれ、カートリッジ５０の左右の側板５２Ｌ・５２Ｒの凹部２２Ｌｋ・２２Ｒｋに嵌合する。そして、バネ２３Ｌｋ・２３Ｒｋによりカートリッジ装着方向Ａに付勢され、ドラム１に対しての現像ローラ４１ｋの位置が決められる。本実施例では、ローラ４１ｋの左右のギャップ規制コロ４４がドラム１の左右側に当接して接触保持されることでドラム１とローラ４１ｋの軸間距離が決められて、ローラ４１ｋがドラム１に対して所定の僅少な隙間を存して非接触に対向した状態に保持される。なお、この非接触現像方式に限定されずに、現像を行う際にローラ４１とドラム１とを接触させる接触現像方式を用いてもよい。また、カートリッジ４ｋの突起２８が底板５４の穴２７に嵌合する。これにより、カートリッジ４ｋの姿勢が決められる。即ち、カートリッジ４ｋがドラムカートリッジ５０に対して、装着方向、左右方向、上下方向において位置決めされて装着された状態になる。
【手続補正１０】
【補正対象書類名】明細書
【補正対象項目名】００３９
【補正方法】変更
【補正の内容】
【００３９】
シアンカートリッジ４ｃの装着は、カートリッジ５０に装着されているカートリッジ４ｋの上に、ローラ４１ｃ側を先にして、また、カートリッジ４ｋの上面の左右のガイド溝部２６に対して下面の左右のガイド凸部２５を嵌合させて乗せる。そして、溝部２６と凸部２５の係合状態でカートリッジ４ｋを装着方向Ａに押してカートリッジ４ｋ上をスライド移動させて枠体５１の内方に押し込む。カートリッジ４ｃが十分に押し込まれることで、カートリッジ４ｃの左右の軸受部４３が、それぞれ、カートリッジ５０の左右の側板５２Ｌ・５２Ｒの凹部２２Ｌｃ・２２Ｒｃに嵌合する。そして、バネ２３Ｌｃ・２３Ｒｃによりカートリッジ装着方向Ａに付勢され、ドラム１に対してのローラ４１ｃの位置が決められる。また、カートリッジ４ｃの突起２８がカートリッジ４ｋの穴２７に嵌合する。これにより、カートリッジ４ｃの姿勢が決められる。即ち、カートリッジ４ｃがカートリッジ５０に対して、装着方向、左右方向、上下方向において位置決めされて装着された状態になる。
【手続補正１１】
【補正対象書類名】明細書
【補正対象項目名】００４０
【補正方法】変更
【補正の内容】
【００４０】
マゼンタカートリッジ４ｍの装着は、カートリッジ５０に装着されているカートリッジ４ｃの上に、ローラ４１ｍ側を先にして、また、カートリッジ４ｃの上面の左右のガイド溝部２６に対して下面の左右のガイド凸部２５を嵌合させて乗せる。そして、溝部２６と凸部２５の係合状態でカートリッジ４ｍを装着方向Ａに押してカートリッジ４ｃ上をスライド移動させて枠体５１の内方に押し込む。カートリッジ４ｍが十分に押し込まれることで、カートリッジ４ｍの左右の軸受部４３が、それぞれ、カートリッジ５０の左右の側板５２Ｌ・５２Ｒの凹部２２Ｌｍ・２２Ｒｍに嵌合する。そして、バネ２３Ｌｍ・２３Ｒｍによりカートリッジ装着方向Ａに付勢され、ドラム１に対しての現像ローラ４１ｃの位置が決められる。また、カートリッジ４ｍの突起２８がカートリッジ４ｃの穴２７に嵌合する。これにより、カートリッジ４ｍの姿勢が決められる。即ち、カートリッジ４ｍがカートリッジ５０に対して、装着方向、左右方向、上下方向において位置決めされて装着された状態になる。図５の（ｂ）は、カートリッジ５０に対して、ブラックカートリッジ４ｋ、シアンカートリッジ４ｃ、マゼンタカートリッジ４ｍの３つが装着されている状態を示している。
【手続補正１２】
【補正対象書類名】明細書
【補正対象項目名】００４１
【補正方法】変更
【補正の内容】
【００４１】
イエローカートリッジ４ｙの装着は、カートリッジ５０に装着されているカートリッジ４ｍの上に、ローラ４１ｙ側を先にして、また、カートリッジ４ｍの上面の左右のガイド溝部２６に対して下面の左右のガイド凸部２５を嵌合させて乗せる。そして、溝部２６と凸部２５の係合状態でカートリッジ４ｙを装着方向Ａに押してカートリッジ４ｍ上をスライド移動させて枠体５１の内方に押し込む。カートリッジ４ｙが十分に押し込まれることで、カートリッジ４ｙの左右の軸受部４３が、それぞれ、カートリッジ５０の左右の側板５２Ｌ・５２Ｒの凹部２２Ｌｙ・２２Ｒｙに嵌合する。そして、バネ２３Ｌｙ・２３Ｒｙによりカートリッジ装着方向Ａに付勢され、ドラム１に対してのローラ４１ｙの位置が決められる。また、カートリッジ４ｙの突起２８がカートリッジ４ｍの穴２７に嵌合する。これにより、カートリッジ４ｙの姿勢が決められる。即ち、カートリッジ４ｙがカートリッジ５０に対して、装着方向、左右方向、上下方向において位置決めされて装着された状態になる。
【手続補正１３】
【補正対象書類名】明細書
【補正対象項目名】００４４
【補正方法】変更
【補正の内容】
【００４４】
［実施例２］
図６の（ａ）は本実施例２の装置１００の説明図である。本実施例の装置１００は基本的には実施例１の装置１００と同様であり、ドラムカートリッジ５０は本体１００Ａに、各現像カートリッジ４はドラムカートリッジ５０に位置決めされており、一体となって着脱可能である。扉１０２の内面には、各現像カートリッジ４の姿勢を決める位置決め突起２８（２８ｙ、２８ｍ、２８ｃ、２８ｋ）が配設されている。それらの突起２８は扉１０２を閉めることで、各現像カートリッジ４の前面の位置決め穴２７（２７ｙ、２７ｍ、２７ｃ、２７ｋ）と嵌合する。現像カートリッジ４の回転方向の位置は直下のドラムカートリッジ又は現像カートリッジに保持されることでラフに位置が決められている。扉１０２を閉めることで、各現像カートリッジ４の穴２７と扉１０２の突起３４（３４ｙ、３４ｍ、３４ｃ、３４ｋ）がそれぞれ嵌合され、各現像カートリッジ４の位置が決められる。
【手続補正１４】
【補正対象書類名】明細書
【補正対象項目名】００４６
【補正方法】変更
【補正の内容】
【００４６】
［実施例３］
図６の（ｂ）、図７、図８は本実施例３の装置１００の説明図である。本実施例において、各現像カートリッジ４（４ｙ、４ｍ、４ｃ、４ｋ）には、仮保持手段（保持足）となる左右一対の現像カートリッジ仮保持足（スタンド）３０（３０Ｌ、３０Ｒ）が設けられている。また、仮保持足３０を規制する手段となるカム３１を有する現像カートリッジ位置決め手段３２が設けられている。位置決め手段３２には仮保持足３０の回転軸３３をカム３１により、仮保持足３０の回転を規制している。位置決め手段３２を図７の（ａ）から（ｃ）のように動作させることで、仮保持足３０の規制が解除され、付勢ばね３４Ｌ・３４Ｒにより仮保持足３０が（ｃ）のように回動する。（ｂ）は（ａ）の部分的拡大図、（ｄ）は（ｃ）の部分的拡大図である。
【手続補正１５】
【補正対象書類名】明細書
【補正対象項目名】００４７
【補正方法】変更
【補正の内容】
【００４７】
図７、図８を用いて現像カートリッジ４の着脱方法について説明する。例えば、マゼンタカートリッジ４ｍを引き出す際には、その上のイエローカートリッジ４ｙの位置決め手段３２によるマゼンタカートリッジ４ｍの位置決めを、図７の（ａ）から（ｃ）のように解除する操作をする。そうすると、イエローカートリッジ４ｙの仮保持足３０が、図８の（ｂ）のように、不図示のバネにより付勢されて回動する。その仮保持足３０は引き出されるマゼンタカートリッジ４ｍの上部にガイドされ、図８の（ｃ）のように、マゼンタカートリッジ４ｍの下部のシアンカートリッジ４ｃの上に起立して、イエローカートリッジ４ｙが仮保持される。図８（ｃ）における仮保持足３０の位置が、直下の現像カートリッジがドラムカートリッジから取り出された際に、現像カートリッジの姿勢を保持する第一の位置である。したがって、イエローカートリッジ４ｙとシアンカートリッジ４ｃの間のマゼンタカートリッジ４ｍが支障なく引き出される。また、マゼンタカートリッジ４ｍを挿入する際には上記の引き出し時とは逆の操作で、図８の（ｃ）のように、マゼンタカートリッジ４ｍを挿入していく。そうすると、イエローカートリッジ４ｙの起立している仮保持足３０が、（ｂ）のように、挿入されるマゼンタカートリッジ４ｍで押し上げ回動される。そして、最終的には、（ａ）のように、イエローカートリッジ４ｙの仮保持足３０はイエローカートリッジ４ｙに格納される。図８（ａ）における仮保持足３０の位置が、現像カートリッジの姿勢を保持しない第二の位置である。その後、イエローカートリッジ４ｙの位置決め手段３２によりマゼンタカートリッジ４ｍの位置決めを行う。つまり、位置決め手段３２は、仮保持足３０が第二の位置にある時には、隣接する現像カートリッジを位置決め可能な位置にある。そして、位置決め手段３２は、仮保持足３０が第一の位置にある時には、位置決め可能な位置から退避するようになっている。これにより、マゼンタカートリッジ４ｍの前面の位置が決まる。これとともに、イエローカートリッジ４ｙの仮保持足３０が隣接するマゼンタカートリッジ４ｍに対して無負荷に保持される。他の現像カートリッジの着脱においても同様である。
【手続補正１６】
【補正対象書類名】明細書
【補正対象項目名】００４８
【補正方法】変更
【補正の内容】
【００４８】
以上のように、各現像カートリッジには回動可能に配置された仮保持足と仮保持足の規制手段を備えた現像カートリッジの位置決め手段が備えられている。これにより、任意の現像カートリッジが着脱されても、仮保持機構が働くため、ドラムカートリッジ５０ないし本体１００Ａに挿入ガイドが構成されていなくても、任意の現像カートリッジを着脱することが可能である。また、本実施例３でも同様に現像カートリッジ４はドラムカートリッジ５０に位置決めされており、一体となって着脱及び挿入可能である。
【手続補正１７】
【補正対象書類名】図面
【補正対象項目名】図２
【補正方法】変更
【補正の内容】
【図２】
2012003185.tif 000001
【手続補正１８】
【補正対象書類名】図面
【補正対象項目名】図６
【補正方法】変更
【補正の内容】
【図６】
2012003185.tif 000002
【手続補正１９】
【補正対象書類名】図面
【補正対象項目名】図８
【補正方法】変更
【補正の内容】
【図８】
2012003185.tif 000003